(57)【要約】  本発明は、データ担体からデータを読み取る回路を提供する。この回路は、データ担体からデータを読み取る読取ユニットと、当該回路を制御するコントローラとを有する。この回路はさらに、データ担体のフォーマットを検出する検出ユニットを有し、コントローラは、検出されたデータ担体フォーマットに応じてデータ担体からデータを読み取るよう当該回路を制御するように設定可能となっている。この態様において、例えばＡＴＡＰＩエンジンを、スーパーオーディオＣＤから音楽を再生する民生電子機器に用いることができる。本発明はまた、装置、方法及びデータ担体も提供する。
2007519126.tif 000002
【特許請求の範囲】
【請求項１】
データ担体からデータを読み取る回路であって、
（ａ）前記データ担体からデータを読み取る読取ユニットと、
（ｂ）当該回路を制御するコントローラと、
を有し、
（ｃ）当該回路は、前記データ担体のフォーマットを検出する検出ユニットをさらに有し、
（ｄ）前記コントローラは、当該検出されたデータ担体フォーマットに応じて前記データ担体からデータを読み取るよう当該回路を制御するように設定可能となっている、
回路。
【請求項２】
請求項１に記載の回路であって、前記データ担体から当該検出されたデータ担体フォーマットに応じてデータを読み取るよう当該設定可能な読取ユニットを設定するための多数のデータ部を記憶するメモリをさらに有する回路。
【請求項３】
データを処理する装置であって、
（ａ）データ担体から読み取られたデータを処理するホストシステムと、
（ｂ）前記データ担体を受け付ける手段と、
（ｃ）請求項１に記載の回路と、
を有する装置。
【請求項４】
請求項３に記載の装置であって、
（ａ）前記読取ユニットがＡＴＡＰＩドライブであり、
（ｂ）前記多数のデータ担体フォーマットがスーパーオーディオディスク及びディジタルバーサタイルディスクを包含し、
（ｃ）前記ホストがスーパーオーディオコンパクトディスクデータデコーダ及びＭＰＥＧビデオデータデコーダである、
装置。
【請求項５】
請求項４に記載の装置であって、前記ＡＴＡＰＩドライブは、規格ＡＴＡＰＩインターフェースを介して前記ＭＰＥＧビデオデータデコーダ及びスーパーオーディオコンパクトディスクデータデコーダに接続される、装置。
【請求項６】
請求項５に記載の装置であって、前記ＡＴＡＰＩドライブはさらに、付加的信号を前記ＡＴＡＰＩドライブからスーパーオーディオコンパクトディスクデータデコーダへ伝送するために予備２ピンコネクタを介して前記スーパーオーディオコンパクトディスクデータデコーダに接続される、装置。
【請求項７】
請求項５に記載の装置であって、前記ＡＴＡＰＩインターフェースの当該予備ピンは、付加的信号を前記ＡＴＡＰＩドライブから前記スーパーオーディオコンパクトディスクデータデコーダに伝送するために用いられる、装置。
【請求項８】
請求項６又は７に記載の装置であって、前記付加的信号は、ＥＦＭ＋信号である、装置。
【請求項９】
請求項４に記載の装置であって、当該検出されたデータ担体がスーパーオーディオコンパクトディスクである場合において、前記ＡＴＡＰＩドライブは、
（ａ）前記スーパーオーディオコンパクトディスクのマークを検出し解読し、
（ｂ）スーパーオーディオコンパクトディスク規格に従って情報を解読し、
（ｃ）ハイブリッドディスク処理を行う、
ように構成されている、装置。
【請求項１０】
データ担体からデータを読み取る方法であって、
（ａ）データが読み取られるデータ担体のフォーマットを検出するステップと、
（ｂ）当該検出されたデータ担体フォーマットに応じて前記データ担体からデータを読み取る読取回路を設定するステップと、
（ｃ）当該検出されたデータ担体フォーマットに応じて前記データ担体からデータを読み取るステップと、
を有する、方法。
【請求項１１】
請求項１０に記載の方法を行う処理ユニットを設定するためのデータを有するデータ担体。
【発明の詳細な説明】
【技術分野】
【０００１】
本発明は、データ担体からデータを読み取る回路に関し、特に当該データ担体からデータを読み取る読取ユニットと当該回路を制御するコントローラとを有する回路に関する。
【０００２】
また、本発明は、データ担体から読み取られたデータを処理するホストシステムと当該データ担体を受け取る手段とを有するデータ処理装置に関する。
【０００３】
本発明はまた、データ担体からデータを読み取る方法に関する。さらに、本発明は、処理ユニットを設定するためのデータを有するデータ担体に関する。
【背景技術】
【０００４】
このような回路は、特許付与された米国特許に係る公報のＵＳ−Ｂ−５，８０９，２４５から知られており、この文献は、ＡＴＡＰＩインターフェースに接続されたＤＶＤ−ＲＯＭドライブを開示している。
【０００５】
規格ＡＴＡＰＩドライブは、ディジタルバーサタイルディスク（登録商標）（ＤＶＤ）やコンパクトディスク（登録商標）（ＣＤ）などの色々なフォーマットに準じてデータが記憶されたディスクからデータを読み取るために用いることができる。しかしながら、益々普及してきている他のデータフォーマット、例えばスーパーオーディオコンパクトディスク（登録商標）（ＳＡＣＤ）は、規格ＡＴＡＰＩドライブによって読み取ることができない。その理由の１つは、ＳＡＣＤに用いられる暗号化である。これは、当該ドライブ（又はエンジン）とＤＶＤからのデータを復号するバックエンドＭＰＥＧデコーダとの間のインターフェース用の工業上のデファクトスタンダードがＡＴＡＰＩインターフェースであるので、不適当である。１つのドライブにおいてＤＶＤ及びＳＡＣＤの双方を情報再生することの可能な装置は、当業界において知られているが、ＡＴＡＰＩドライブが備わっていない。
【発明の開示】
【発明が解決しようとする課題】
【０００６】
本発明の目的は、当初は限られた数のディスクフォーマットを扱うように構成されたドライブの汎用性を増強する回路を提供することである。
【課題を解決するための手段】
【０００７】
この目的は、本発明による回路によって達成され、かかる回路は、当該データ担体のフォーマットを検出するための検出ユニットをさらに有し、当該読取ユニットは、その検出されたデータ担体フォーマットに応じてデータ担体からデータを読み取るよう当該回路を制御するように構成可能となっていることを特徴としている。
【０００８】
既知のケースにおいては、例えばＳＡＣＤディスクがＡＴＡＰＩドライブに挿入されたときに、当該ディスクから読み取られたデータが処理に直接適合しないかもしれず、又は（規格とは異なる）所定の前提条件が満足されなければならない。しかしながら、当該ディスクが規格の例えばＳＡＣＤディスクとは異なるディスクであることを検出することができる。この情報を用いて、コントローラは、規格外ディスクからデータを読み取り、またこれとともに或いはこれに代えて、あたかも当該データが規格ディスクからデータが読み取られたかのように規格外ディスクから読み取られたデータを変換するように構成可能である。このようにして、当該ドライブは、当初構成されたものよりも多くの用途に適用可能となる。
【０００９】
本発明による装置は、請求項１に規定されているような回路を有することを特徴としている。
【００１０】
本発明による装置の実施例において、当該読取ユニットは、ＡＴＡＰＩドライブであり、多数のデータ担体フォーマットは、スーパーオーディオコンパクトディスク及びディジタルバーサタイルディスクを有し、当該ホストは、スーパーオーディオコンパクトディスクデータデコーダ及びＭＰＥＧビデオデータデコーダを有する。
【００１１】
この実施例の利点は、上述されている。
【００１２】
本発明による装置の他の実施例においては、先の実施例に基づいて、ＡＴＡＰＩドライブがＡＴＡＰＩインターフェースを介してスーパーオーディオコンパクトディスクデータでコーダに、そしてＭＰＥＧビデオデータデコーダに接続される。本発明による装置の他の実施例では、ＡＴＡＰＩドライブがさらに、ＡＴＡＰＩドライブから付加的信号をスーパーオーディオコンパクトディスクデータデコーダに伝送するための予備の２ピンコネクタを介してスーパーオーディオコンパクトディスクデータデコーダに接続される。
【００１３】
存分に適切な機能をなすために、ＳＡＣＤデコーダは、ＡＴＡＰＩインターフェースにより提供されるものよりも多くの信号を必要とする。本発明の好ましい実施例においては、予備の２ピンコネクタを用いて余分な信号が供給される。この実施例の利点は、当該信号は個別のグランドを有し、良好な信号品質を呈することである。
【００１４】
本発明による装置のさらに他の実施例においては、ＡＴＡＰＩインターフェースのスペア（予備）のピンが、ＡＴＡＰＩドライブからスーパーオーディオコンパクトディスクデータデコーダへ付加的信号を伝送するために用いられる。
【００１５】
当該予備信号を当該ドライブからＳＡＣＤデコーダに供給するための余分な２ピンコネクタを用いることは、信号品質について最良の方策であり、また、ＡＴＡＰＩのスペアピンも用いることができる。この方策は安価で済む。何故なら、追加の接続が不要である一方で、信号品質が幾分しか落ちないからである。
【発明を実施するための最良の形態】
【００１６】
以下、本発明を唯一の図に基づいてより詳細に説明する。この図は、本発明による装置の実施例を示している。
【００１７】
図は、ディスク１９０からのデータの取り込みをなしその取得データを再生のためにレンダリングする本発明による装置の実施例として装置１００を示している。この装置１００は、ＡＴＡＰＩディスクドライブユニット１１０と、ＭＰＥＧデコーダ１２０と、スーパーオーディオコンパクトディスクデコーダ１２２と、Ｄ／Ａコンバータ１２４と、コネクタ１２６と、ユーザコマンドレシーバ１３０と、中央処理ユニット１４０と、第１ＲＯＭメモリ１５０とを有する。本発明による装置の好適な実施例では、中央処理ユニットは、ＭＰＥＧデコーダ１２０によって構成される。
【００１８】
ＡＴＡＰＩディスクドライブユニット１１０は、ディスク１９０を回転させるスピンドル１１２と、ディスク１９０からデータを検索し取り込む光学ピックアップユニット１１４とを有する機械式ドライブシステム１１１を有する。この光学ピックアップユニットは、ディスク１９０から読み取られた生の（未処理の）データを、ＭＰＥＧデコーダ１２０又はスーパーオーディオコンパクトディスクデコーダ１２２によって扱われることの可能なフォーマットに変換するように構成されたドライブコントローラ１１６に接続される。ＡＴＡＰＩディスクドライブユニット１１０はさらに、ドライブコントローラ１１６を設定構成するためのファームウェアを記憶する第２のＲＯＭメモリ１１８を有する。機械式ドライブシステム１１１はまた、光学ピックアップユニット１１４の位置を制御するためのサーボシステムを有する。但し、これは図を簡単にするために図示していない。
【００１９】
図１はさらに、装置１００を制御するためのユーザ制御デバイス１８０を示す。ユーザ制御デバイス１８０からの制御信号は、ユーザコマンドレシーバ１３０に伝送される。このレシーバは、そのユーザコマンドを中央処理ユニット１４０に伝送する。中央処理装置１４０は、装置１００の色々な構成部を制御する。第１のＲＯＭメモリ１５０は、本発明による方法を実行するために中央処理装置１４０をプログラムするためのデータを記憶するための用いられる。ユーザ制御デバイス１８０は、遠隔制御装置として具現化することができる。他の実施例においては、ユーザ制御デバイス１８０は、装置１００によって構成される。
【００２０】
ＡＴＡＰＩディスクドライブユニット１１０は、とりわけディジタルバーサタイルディスク（すなわちＤＶＤ）規格に従ってデータを担持するディスク、及びコンパクトディスク（すなわちＣＤ）規格に従ってデータを担持するディスクを受け付けるものと理解される。但し、ＡＴＡＰＩディスクドライブユニット１１０は、スーパーオーディオコンパクトディスク規格に従ってディスクに記憶されるようなデータを取り込みこれを取り扱うように直接は構成されていない。
【００２１】
ＤＶＤとＳＡＣＤとの重要な違いは、ＤＶＤの場合、当該光ディスクの１つの層に全てのデータが記憶される点である。二重層ＤＶＤディスクは知られているが、記憶されるデータのレンダリングのためには１つのレイヤのデータだけが依然として必要とされ、双方の層が概して同じ構造を有している。しかし、ＳＡＣＤディスクは、異なる２つの層（従来のコンパクトディスクの層と高解像度の層）に記憶されるデータを持つことがある。こうしたタイプのＳＡＣＤディスクは、デュアルレイヤＳＡＣＤと称される。デュアルレイヤＳＡＣＤは、高密度（ＨＤ）の層と通常のＣＤ（ＣＤＤＡ）の層とを有する。このＣＤＤＡ層は、ＳＡＣＤが通常のＣＤプレーヤと下位互換性を持つことができるように付加されている。
【００２２】
データの取り扱いのため、両方の層からのデータが取り込まれなければならず、これは、ハイブリッドディスク処理（hybrid disc handling）と呼ばれる。この目的のため、ＣＤ層とＨＤ層とのスイッチングが必要である。さらに、ＳＡＣＤについては、（ＤＶＤと比較して）絶対アドレスではなく論理セクタアドレスを用いてセクタがアドレス指定されなければならない。第３に、ＳＡＣＤマークの検出及び暗号解読も行わなければならず、これは規格ＡＴＡＰＩドライブを用いたときには不可能である。ＤＶＤディスクに対してＳＡＣＤディスクの取り扱いにおけるこれら３つの相違は、ドライブコントローラ１１６によって扱われなければならない。
【００２３】
ＳＡＣＤディスクを適正に扱うようにドライブデコーダを適合するため、ドライブコントローラ１１６は、第２のＲＯＭメモリ１１８に記憶されたデータを用いることによってプログラム可能である。この動作は、機械式ドライブシステム１１１に挿入されたディスクがＳＡＣＤディスクであることを検出したときに行われる。挿入ディスクがＳＡＣＤディスクかどうかの検出は、ＰＳＰ（コピー防止のためのピット信号処理（pit signal processing））の存在についてのチェックによって行われる。これは、ＲＦ情報についての付加的インターフェースパスを介して情報を送り戻すサーボ（図示せず）によって行われる。この情報は、その後、ＳＡＣＤデコーダ１２２に転送され、ここで当該ディスクがＳＡＣＤか又は他のフォーマットかが検出される。
【００２４】
当該挿入ディスクがＳＡＣＤ規格により記憶されたデータを持っていると検出された場合、適切なデータが第２ＲＯＭメモリ１１８からロードされ、ドライブコントローラ１１６をプログラムするために用いられる。
【００２５】
一方、当該挿入ディスクがＤＶＤ規格により記憶されたデータを有している場合、標準のＤＶＤディスクとして扱われ、これに応じて当該ディスクに記憶されたデータが取り込まれ処理される。
【００２６】
但し、ＡＴＡＰＩディスクドライブユニット１１０を用いてＳＡＣＤディスクを処理する場合、言及したばかりのものとは別に、追加の問題が生じる。適正なＳＡＣＤデータ取込及び処理は、付加的信号を必要とする。これは、ＳＡＣＤデータ取込に必要な暗号解読キーを含むＥＦＭ＋信号である。このため、ＡＴＡＰＩディスクドライブユニット１１０とＳＡＣＤデコーダとの間の余分な接続が必要である。本発明の実施例では、このＥＦＭ＋信号の伝送のために予備の２ピン接続部１２８が用いられる。本発明の他の実施例においては、ＥＦＭ＋信号は、ＡＴＡＰＩインターフェースのスペアピン（ピン４０）を用いることにより伝送される。この予備２ピン接続部の使用は、最良の信号品質を呈するので、ＡＴＡＰＩインターフェースのスペアピンを用いるよりも好ましい。
【００２７】
さらに、ＳＡＣＤデコーダ１２２がFurore2である好適実施例においてＳＡＣＤデコーダ１２２により処理されるようにＡＴＡＰＩディスクドライブユニット１１０からのデータを変換するために、変換ユニット１２９は、ＡＴＡＰＩディスクドライブユニット１１０から到来する１６ビット情報ワードを８ビットワードに変換するように挿入されなければならない。
【００２８】
ディスク１９０がＤＶＤ規格により記憶されたデータを持つものとして認識された場合、ドライブコントローラ１１６は、これに応じてプログラムされ（又は当該処理が規格処理に応じているためにプログラムされず）、データは、光学ピックアップユニット１１４によってディスク１９０から読み取られる。読み取られたデータは、ドライブコントローラ１１６によって扱われ、ＭＰＥＧデコーダ１２０に送られる。ＭＰＥＧでコーダ１２０は、ＡＴＡＰＩディスクドライブユニット１１０から受信したデータをレンダリングし、非圧縮の信号をＤ／Ａコンバータ１２４に供給する。Ｄ／Ａコンバータ１２４は、そのレンダリングされたディジタル信号を、例えばコネクタ１２６により装置１００に接続可能なＴＶセットによって表すことの可能なＰＡＬ規格に準拠した信号に変換する。
【００２９】
一方、ディスク１９０がＳＡＣＤ規格により記憶されたデータを持つものとして認識された場合も、ドライブコントローラ１１６は、これに応じてプログラムされ、光学ピックアップユニット１１４によってディスク１９０からデータが読み取られる。読み取られたデータは、ドライブコントローラ１１６によって処理され、変換ユニット１２９を介してＳＡＣＤデコーダ１２２により取り込まれる。また、ＥＦＭ＋信号は、予備２ピン接続部１２８を介してＳＡＣＤデコーダ１２２に伝送される。ＡＴＡＰＩディスクドライブユニット１１０から受信されたデータは、ＳＡＣＤデコーダ１２２により、レンダリングされ、これによりさらに暗号解読され、Ｄ／Ａコンバータ１２４に供給される。これ以降、上述したように、データがＤＶＤディスクから取り込まれる場合と同じようにしてデータが処理される。
【００３０】
以上、本発明をかなり特定した実施例により説明したが、当業者であれば、本発明の範囲はこの実施例だけに限定されるものではないことは明らかである。開示した本発明の装置の実施例の単なる改変は、本発明の範囲から逸脱することなく可能である。例えば、各種プロセッサはそれぞれ、１つの中央処理装置に組み合わせることができる。また、記述した実施例における多数の機能を遂行するユニットも、当該機能の１つだけを行う多数のプロセッサユニットに分割することもできる。
【００３１】
さらに、本発明は、スマートカード又はフラッシュメモリカード及び着脱可能なハードディスクドライブのような他の種類のメディアからデータを読み取る装置にも適用可能である。フラッシュメモリカードは色々な形式ファクタを有するが、アダプタに適合可能であり、他のメモリカードに適合したスロットに配することができる。
【図面の簡単な説明】
【００３２】
【図１】本発明による装置の実施例を示す図。
2007519126.tif 000003
【国際調査報告】
2007519126.tif 000004
2007519126.tif 000005
2007519126.tif 000006